(57)【要約】【課題】歯科診療における下顎運動を分析するのに有用な下顎運動描記装置（ゴシックアーチトレーサー）を提供する。【解決手段】この装置は、平板状のプレート１と、頭部に皿部分が形成された押しピン形状の描記針２とから成り、プレートが、その中央部付近に貫通孔３を有し、当該貫通孔には、描記針の針部分がプレートの平面に対して垂直な方向に摺動可能な状態で貫通して取り付けられており、描記針の皿部分が、プレートに両端が取り付け固定された細ベルト状のゴム弾性部材４によって外側から押圧されている構造を有する。この際、プレートに、ゴム弾性部材の端部側を取り付け固定するための一対の細長切込み部５，５’が設けられ、当該細長切込み部内にゴム弾性部材の端部が嵌入されていることが好ましい。【選択図】図１
0003126035.tif 000002
【実用新案登録請求の範囲】
【請求項１】
下顎運動の分析に用いられる下顎運動描記装置であって、当該下顎運動描記装置が、平板状のプレートと、頭部に皿部分が形成された押しピン形状の描記針とから成り、前記プレートが、その中央部付近に貫通孔を有し、当該貫通孔には、前記描記針の針部分が前記プレートの平面に対して垂直な方向に摺動可能な状態で貫通して位置しており、前記描記針の皿部分が、前記プレートに両端が取り付け固定された細ベルト状のゴム弾性部材によって外側から押圧されていることを特徴とする下顎運動描記装置。
【請求項２】
前記プレートに、前記ゴム弾性部材の端部側を取り付け固定するための一対の細長切込み部が設けられており、前記細長切込み部内に前記ゴム弾性部材の端部が嵌入されていることを特徴とする請求項１に記載の下顎運動描記装置。
【請求項３】
前記描記針が、前記ゴム弾性部材の押圧力に対抗する方向に後退して位置しており、前記位置より描記針が前方へ移動するのを防止するために、当該描記針にストッパー部材が着脱可能に取り付けられていることを特徴とする請求項１又は２に記載の下顎運動描記装置。
【考案の詳細な説明】
【技術分野】
【０００１】
本考案は、歯科診療における下顎運動の分析に用いられる下顎運動描記装置（ゴシックアーチトレーサー）に関するものである。
【背景技術】
【０００２】
一般的歯科解剖学において、『任意の咬合高径における最後方の左右側方運動によって、その運動経路は山型（ゴシックアーチ）に描かれる。これに前方滑走路を描かせれば、矢印形の運動軌跡となる。この矢印の頂点（アペックス）付近では、左右の下顎頭は下顎窩の中で落ち着いた位置を占める。』という理論に基づき直視できない下顎頭の位置を客観的に判断して水平的下顎運動の分析を行うため、下顎運動描記装置（ゴシックアーチトレーサー）が考案された。
【０００３】
これは、トレーシングインクを塗布しておいた描記板、および、上下顎を咬合させた状態で描記板に先端が接触するように調整された描記針を、それぞれ取り付けられたプレートを上顎と下顎に付着固定し、下顎を前後左右に運動させ下顎運動の軌跡を描かせるものである。なお、描記板および描記針の取り付けられたプレートは対を成すだけであり、上顎と下顎に対しての指定は特にない。このようなゴシックアーチトレーサーは、例えば図５に示されるようにして、プレート８の中央部に設けられた取り付け孔（ネジ孔）に、周囲にネジ山が形成された描記針９が貫入されて針部が突出し、描記針９の背面側が固定ナット１０によって固定された構造を有する。
【０００４】
しかしながら有歯顎の場合、上下歯牙の干渉がある状態となり下顎の動きは描記板に対して常に一定の距離を保てなくなる。このため上下歯牙の干渉が生じない程度に開口した状態での記録、分析となる。
【０００５】
これまでに、咬合状態からの記録を行う目的で、スプリングを利用して描記針が上下方向に自動的に伸縮する機構を組み込んだものも考案されており（例えば下記の特許文献１）、この特許文献１の装置は、図６に示されるようにして、プレート１１に取り付けられた外筒１２内に位置した描記針１３が、外筒１２内に収容されたコイルバネ１４によって摺動可能になっている。
【特許文献１】実公平４−２６０９５号公報
【０００６】
ところが、上記特許文献１記載の装置の場合には、臨床的使用に際して、構造的原因により実用に供するには不完全であり、かつ、新たな欠点を生じさせてしまった。すなわち、実際に下顎運動の軌跡を描かせる際には有歯顎での場合、少なくとも７ｍｍは上下方向に伸縮しなければ安定した描記を得ることができないことが分かっている。
【０００７】
スプリングを用いてこれを実行した場合、構造的制約によって非常に嵩の高い形状にならざるを得ず、口腔内使用の場合には事実上装着不可能である。
【０００８】
さらに、「タッピングポイント」という基準点を描記する場合は描記針が突出したままであると描記誤差が生じてしまう。
【０００９】
これはタッピングポイントでの下顎の動きが円弧運動であり、直線運動である描記針が早期に描記板と接触してしまうと「ポイント」での描記とならないからである。
したがってタッピングポイント描記時には描記針が突出しきらないようにならなければならない。
【考案の開示】
【考案が解決しようとする課題】
【００１０】
本考案はこれら問題点を解決すべく、必要十分な描記針のストロークを実現しながら口腔内使用においても実用的であり、簡単に描記針の突出制限が可能な構造で構成された下顎運動描記装置を提供することを課題とするものである。
【課題を解決するための手段】
【００１１】
上記課題を解決可能な本考案の下顎運動描記装置は、平板状のプレートと、頭部に皿部分が形成された押しピン形状の描記針とから成り、前記プレートが、その中央部付近に貫通孔を有し、当該貫通孔には、前記描記針の針部分が前記プレートの平面に対して垂直な方向に摺動可能な状態で貫通して位置しており、前記描記針の皿部分が、前記プレートに両端が取り付け固定された細ベルト状のゴム弾性部材によって外側から押圧されていることを特徴とする。
【００１２】
又、本考案は、上記の特徴を有した下顎運動描記装置において、前記プレートに、前記ゴム弾性部材の端部側を取り付け固定するための一対の細長切込み部が設けられており、前記細長切込み部内に前記ゴム弾性部材の端部が挟持されていることを特徴とするものでもある。
【００１３】
更に本考案は、上記の特徴を有した下顎運動描記装置において、前記描記針が、前記ゴム弾性部材の押圧力に対抗する方向に後退して位置しており、前記位置より描記針が前方へ移動するのを防止するために、当該描記針にストッパー部材が着脱可能に取り付けられていることを特徴とするものでもある。
【考案の効果】
【００１４】
本考案の下顎運動描記装置を用いて、治療前後の咬合状態の比較をすることにより、治療後にゴシックアーチがスムーズに描けるなどの治療効果を読み取ることができる。又、本考案の装置は、歯牙誘導でのゴシックアーチを記録可能であり、顎関節誘導でのゴシックアーチとの記録の比較による咬合状態の診断にも有効である。
【考案を実施するための最良の形態】
【００１５】
以下、本考案の下顎運動描記装置の好ましい具体例を図面に示して、本考案を詳細に説明する。
図１は、本考案の下顎運動描記装置の好ましい一例における概観を示す図であり、（ａ）は斜め上方から見たときの概観を示す図で、（ｂ）は斜め下方から見たときの概観を示す図である。
図１に示されるように、本考案の下顎運動描記装置は、平板状のプレート１と、頭部に皿部分が形成された押しピン形状の描記針２（図１（ｂ）参照）とから成り、プレート１の中央部付近に設けられた貫通孔３に、描記針２の針部分（脚部分）が、プレート１のなす平面に対して垂直な方向に摺動可能な状態で貫通して位置している。そして、この描記針２の皿部分が、プレート１に両端が取り付け固定された細ベルト状のゴム弾性部材４によって外側から押圧されており、患者の下顎運動を描記する際に、ゴシックアーチが描かれる描記板に描記針２の先端が当接して描記針２が押されるとその状態（位置）を維持し、描記針２の先端にかかる力が解除されると、ゴム弾性部材４の弾性力によって元の位置に戻るようになっている。図１の装置にあっては、台形状の形状を有したプレート１の長辺側に、ゴム弾性部材４の両端部分をそれぞれ固定するために、プレート１に、ゴム弾性部材の端部側を取り付け固定するのに適した幅の、一対の細長切込み部５，５’が設けられており、この細長切込み部５，５’内にゴム弾性部材４の端部側が嵌入されている。このため、ゴム弾性部材４の端部側部分の嵌め込み位置を変えるだけで、ゴム弾性部材４の張力を変えることができ、描記針２を押し下げるのに必要な力を簡単に調整することが可能である。しかし、本考案では、ゴム弾性部材４の両端部分の、プレート１への固定構造が、図面に例示したものに限定されるものではない。
尚、図１の装置においては、図１（ｂ）に示されるようにして、描記針２の皿部分に細溝が刻設されており、この細溝内にゴム弾性部材４が位置することにより、描記針２の皿部分からゴム弾性部材４が外れないようになっている。
【００１６】
本考案の下顎運動描記装置を構成するプレート１及び描記針２の材質については特に限定されるものではなく、金属製であってもプラスチック製であっても良い。又、ゴム弾性部材４としては、輪ゴムを一定長さに切断したものが利用できる。
図２（ａ）は、図１の装置を下方から見た時の図であり、図２（ｂ）は、図１の装置を手前から見た時の図であり、図２（ｃ）は、図１の装置を側方から見た時の図であり、図２（ｄ）は、図１（ａ）のＡ−Ａ線における断面構造を示す図である。
図１及び図２に示される構造の本考案の下顎運動描記装置は、コイルスプリングが内臓された従来の装置に比べて、描記針２の上下動に必要なスペースが小さく、嵩張らないので口腔内での使用に好適である。
【００１７】
又、図３は、タッピングポイント描記に適した構造を有する本考案の下顎運動描記装置の一例における概観及び構造を示す図であり、（ａ）は斜め上方から見た時の概観を示す図であり、（ｂ）は側方から見た時の図であり、（ｃ）は正面から見た時の図であり、（ｄ）は斜め下方から見た時の概観を示す図であり、いずれの図においても、描記針２の突出部分を小さくするためのストッパー部材６には斜線が入っている。
図３（ａ）〜（ｄ）に示されるように、タッピングポイント描記に適した構造の本考案の装置にあっては、描記針２が、図１及び図２の装置の場合よりも、ゴム弾性部材４の押圧力に対抗して後方に移動して位置しており、当該描記針２に、この位置より前方への描記針の移動を防止するための実質的に小筒状のストッパー部材６が着脱可能に取り付けられていることによって、プレート１の平面から突出する描記針２の先端部の高さが小さくなっている。本考案では、ストッパー部材６の形状は、図３に示されるものに限定されるものではない。
このような構造により、描記針２の突出高さを患者に応じて適宜小さくすることにより、本考案の装置はタッピングポイントの描記に誤差を生じることなく、正確にタッピングポイントを描記することができる。
【００１８】
尚、本考案の下顎運動描記装置では、図４に示されるようにして、ゴム弾性部材４を取り外してプレート１の側方から固定プレート７を嵌め込み、プレート１に対して描記針２が上下動しないようにすることも可能であり、このような装置を使用した場合には、患者に応じた高さの描記針２を適宜選択して交換することにより、有歯顎患者の顎関節誘導によるゴシックアーチの測定を容易に行うことができる。
【実施例】
【００１９】
図１及び図２に示される外観及び構造を有した本考案の下顎運動描記装置を有歯顎患者の下顎に付着固定し、トレーシングインクを塗布しておいた描記板を同有歯顎患者の上顎に付着固定した。咬合状態からの歯牙誘導における下顎の動きは上下方向にも変位するが本考案の下顎運動描記装置を用いた場合、この変位量を上回る描記針の伸縮量を確保しているので安定したゴシックアーチを記録することが可能であった。
又、この装置に、図３に示されるような、小筒状のストッパー部材を取り付けてタッピングポイントの描記を行ったところ、誤差を生じることなく、正確にタッピングポイントを描記することができた。
【産業上の利用可能性】
【００２０】
本考案の下顎運動描記装置は、歯科診療における下顎運動を分析するのに有用なだけでなく、咬合状態の診断にも有効である。
【図面の簡単な説明】
【００２１】
【図１】本考案の下顎運動描記装置の好ましい一例における概観を示す図であり、（ａ）は斜め上方から見たときの概観を示す図で、（ｂ）は斜め下方から見たときの概観を示す図である。
【図２】（ａ）は、図１の装置を下方から見た時の図であり、（ｂ）は、図１の装置を手前から見た時の図であり、（ｃ）は、図１の装置を側方から見た時の図であり、（ｄ）は、図１（ａ）のＡ−Ａ線における断面構造を示す図である。
【図３】タッピングポイント描記に適した構造を有する本考案の下顎運動描記装置の一例における概観及び構造を示す図であり、（ａ）は斜め上方から見た時の概観を示す図であり、（ｂ）は側方から見た時の図であり、（ｃ）は正面から見た時の図であり、（ｄ）は斜め下方から見た時の概観を示す図である。
【図４】固定プレート７により描記針２の上下動が防止された構造の本考案の下顎運動描記装置の一例における概観及び構造を示す図で、（ａ）は斜視図、（ｂ）は側面図である。
【図５】描記針９がプレート８に対して上下動しない構造の、従来のゴシックアーチトレーサーの断面構造図である。
【図６】描記針１３が、外筒１２内に収容されたコイルバネ１４によって摺動可能な構造を有した従来のゴシックアーチトレーサーの断面構造図である。
【符号の説明】
【００２２】
１、８、１１  プレート
２、９、１３  描記針
３  貫通孔
４  ゴム弾性部材
５  細長切込み部
６  ストッパー部材
７  固定プレート
１０  固定ナット
１２  外筒
１４  コイルバネ
【図１】
0003126035.tif 000003
【図２】
0003126035.tif 000004
【図３】
0003126035.tif 000005
【図４】
0003126035.tif 000006
【図５】
0003126035.tif 000007
【図６】
0003126035.tif 000008